(57)【特許請求の範囲】
【請求項１】
ディスクが縦置きされるキャビネット(１)内に、大径ディスク(６)と小径ディスク(60)が選択的に載置されるトレイ(４)を具え、該トレイ(４)はキャビネット(１)内に収納され、信号が記録又は再生される閉位置と、キャビネット(１)から外向きに突出した開位置との間を移動可能に設けられ、閉位置にてトレイ(４)上の大径ディスク(６)又は小径ディスク(60)は、トレイ(４)に進入するターンテーブル(21)によってトレイ(４)から押し出されて、トレイ(４)に対向したクランパ(８)とターンテーブル(21)に挟持されるディスク記録又は再生装置に於いて、
トレイ(４)には、大径ディスク(６)が支持される大凹部(42)と、小径ディスク(60)が支持される小凹部(43)が設けられ、大凹部(42)内にて小凹部(43)の外側には、ガイド溝(40)がトレイ進行方向に沿って設けられ、
キャビネット(１)内には、ターンテーブル(21)によりトレイ(４)から押し出された小径ディスク(60)の下端を受けるガイド部材(３)と、
キャビネット(１)に枢支(90)されて、一端部がガイド溝(40)に嵌まるとともに、該ガイド部材(３)に連繋して、開位置から閉位置に向かうトレイ(４)上の大径ディスク(６)の外周部に接して枢支部(90)を中心として回動する回動レバー(９)と、
ガイド部材(３)と回動レバー(９)に連繋し、大径ディスク(６)の外周部に接して回動する回動レバー(９)により、大径ディスク(６)の移動を邪魔しない位置にまでガイド部材(３)を伏させるリング体(７)を具えたことを特徴とするディスク記録又は再生装置。
【請求項２】
大凹部(42)と小凹部(43)は同心に設けられ、回動レバー(９)は開位置から閉位置に向かうトレイ(４)上の小径ディスク(60)の外周部には接しない、請求項１に記載のディスク記録又は再生装置。
【発明の詳細な説明】
【０００１】
【発明の属する技術分野】
本発明は、大径ディスクと小径ディスクが選択的に縦置きされるディスク記録又は再生装置に関する。
【０００２】
【従来の技術】
従来からキャビネット(１)にトレイ(４)を出没自在に設け、該トレイ(４)にディスクを立てて支持するディスク記録又は再生装置がある。図１０は、該装置の斜視図である。トレイ(４)に支持されるディスクには、直径が１２ｃｍの大径ディスクと、直径が８ｃｍの小径ディスクとがあり、トレイ(４)には大径ディスクを支持する突起(45)を設けた大凹部(42)が設けられている。トレイ(４)には開口(44)が形成され、該トレイ(４)はキャビネット(１)に被さり、信号が記録又は再生される閉位置と、キャビネット(１)から外向きに突出した開位置との間を移動する。図１２は、閉位置のトレイ(４)をＤ−Ｄ線を含む面にて破断した断面図である。周知の如く、閉位置にてディスクを回転させるターンテーブル(21)が開口(44)を通って、トレイ(４)上のディスク(６)を押してトレイ(４)から離す。該ディスク(60)をトレイ(４)に対向したクランパ(８)とターンテーブル(21)にて挟持する。ディスクはトレイ(４)と摩擦することなく回転する。
小径ディスク(60)を大凹部(42)に嵌めるには、直径１２ｃｍに対応したアダプタ(65)を小径ディスク(60)に嵌めてから、取り付ける。これでは、小径ディスク(60)をトレイ(４)に嵌める際に、アダプタ(65)を取り付ける手間が掛かる。
そこで、小径ディスク(60)にアダプタ(65)を取り付ける必要がない図１１(a)、(b)に示す装置が提案されている(特開平１０−１９９０８８号参照)。これは、トレイ(４)にディスクが嵌まる空間(46)を形成し、該空間(46)の側壁内に、押え杆(47)を出没自在に枢支(48)している。大径ディスク(６)がトレイ(４)の空間(46)に嵌まった状態では、図１１(a)に示すように、押え杆(47)は側壁内に引っ込んで、側壁と同一面内に位置する。小径ディスク(60)がトレイ(４)の空間(46)に嵌まった状態では、図１１(b)に示すように、押え杆(47)は引き出されて、小径ディスク(60)の周縁部を押さえて保持する。
【０００３】
【発明が解決しようとする課題】
しかし、図１１(a)、(b)に示す装置では、小径ディスク(60)をトレイ(４)内に保持する際に、その都度、押え杆(47)を引き出す必要があり、面倒であるばかりか、構成部品点数が増加する。
その一方、トレイ(４)上のディスクを記録又は再生する際には、ディスクをトレイ(４)から離す必要があるが、トレイ(４)に大径ディスク(６)と小径ディスク(60)を単に選択的に縦置きしただけでは、小径ディスク(60)を記録又は再生する際に、トレイ(４)から小径ディスク(60)が脱落する虞れがある。
本発明の目的は、大径ディスクと小径ディスクが選択的に縦置きされる装置に於いて、トレイの構成が簡単で、両ディスクがスムーズに記録又は再生できる装置を提供することにある。
【０００４】
【課題を解決する為の手段】
ディスク記録又は再生装置は、ディスクが縦置きされるキャビネット(１)内に、大径ディスク(６)と小径ディスク(60)が選択的に載置されるトレイ(４)を具え、該トレイ(４)はキャビネット(１)内に収納され、信号が記録又は再生される閉位置と、キャビネット(１)から外向きに突出した開位置との間を移動可能に設けられ、閉位置にてトレイ(４)上の大径ディスク(６)又は小径ディスク(60)は、トレイ(４)に進入するターンテーブル(21)によってトレイ(４)から押し出されて、トレイ(４)に対向したクランパ(８)とターンテーブル(21)に挟持される。
トレイ(４)には、大径ディスク(６)が支持される大凹部(42)と、小径ディスク(60)が支持される小凹部(43)が設けられ、大凹部(42)内にて小凹部(43)の外側には、ガイド溝(40)がトレイ進行方向に沿って設けられ、
キャビネット(１)内には、ターンテーブル(21)によりトレイ(４)から押し出された小径ディスク(60)の下端を受けるガイド部材(３)と、
キャビネット(１)に枢支(90)されて、一端部がガイド溝(40)に嵌まるとともに、該ガイド部材(３)に連繋して、開位置から閉位置に向かうトレイ(４)上の大径ディスク(６)の外周部に接して枢支部(90)を中心として回動する回動レバー(９)と、
ガイド部材(３)と回動レバー(９)に連繋し、大径ディスク(６)の外周部に接して回動する回動レバー(９)により、大径ディスク(６)の移動を邪魔しない位置にまでガイド部材(３)を伏させるリング体(７)を具えている。
【０００５】
【作用及び効果】
小径ディスクの記録又は再生時
小径ディスク(60)は、閉位置にてターンテーブル(21)によりトレイ(４)から押し出されるが、ガイド部材(３)により下端が受けられる。この状態で、小径ディスク(60)はクランパ(８)とターンテーブル(21)に挟持される。
大径ディスクの記録又は再生時
トレイ(４)が開位置から閉位置に向かう際に、回動レバー(９)が大径ディスク(６)の外周部に接して移動する。トレイ(４)の閉位置にて、回動レバー(９)に連繋したリング体(７)はトレイ(４)から押し出された大径ディスク(６)の移行路からガイド部材(３)を脱出させる。これにより、大径ディスク(６)はクランパ(８)とターンテーブル(21)に挟持される。上記の構成により、両ディスク(６)(60)は、トレイ(４)に選択的に載置されて支持される。クランパ(８)とターンテーブル(21)が合わさるまでは、小径ディスク(60)はガイド部材(３)に受けられて脱落を防止される。該ガイド部材(３)は大径ディスク(６)を記録又は再生する際には、大径ディスク(６)のクランパ(８)に向かう移動を邪魔しない。これにより、トレイ(４)の構成が簡単となり、且つ両ディスク(６)(60)をスムーズに記録又は再生できる。
【０００６】
【発明の実施の形態】
以下、本発明の一例を図を用いて詳述する。
図１は、本例に係わるディスク記録又は再生装置の分解斜視図であり、図２は開位置に於ける該装置の平面図である。該装置はディスクを縦置きに支持するが、図１、図２では説明の便宜上、横向きに図示する。
キャビネット(１)には、トレイ(４)が出没可能に設けられ、該トレイ(４)はキャビネット(１)に被さり、信号が記録又は再生される閉位置と、キャビネット(１)から外向きに突出した開位置との間を移動する。以下の記載では、開位置から閉位置に向かう方向を前方とし、逆の方向を後方とする。
トレイ(４)には、大径ディスクが支持される大凹部(42)と、小径ディスク(60)が支持される小凹部(43)が同心に設けられ、大凹部(42)と小凹部(43)に跨ってターンテーブル(21)が通過する開口(44)が形成されている。大凹部(42)と小凹部(43)には、突起(45)が設けられ、キャビネット(１)を立てた状態で、大径ディスク(６)及び小径ディスク(60)は、対応する突起(45)(45)に受けられる。大凹部(42)内にて小凹部(43)の外側にはガイド溝(40)が、トレイ(４)の右側部には、逃がし溝(41)が夫々、前後に延びて設けられている。トレイ(４)は手動で出没しても、モータに連繋した駆動機構(図示せず)により駆動されてもよい。
【０００７】
キャビネット(１)内にてトレイ(４)の下方には、前端部がキャビネット(１)に枢支(２a)したホルダ(20)が昇降可能に設けられ、該昇降動作はトレイ(４)の出没動作に連動する。ホルダ(20)は上面が開口した箱体であり、中にデッキユニット(２)が収納される。デッキユニット(２)は、シャーシ(23)上にディスクを回転させるターンテーブル(21)を設け、ディスクにビームを照射するピックアップ(22)をターンテーブル(21)に接近離間可能に設けている。ピックアップ(22)は、モータ(Ｍ)駆動されるギア列(24)に噛合して駆動される。
【０００８】
キャビネット(１)の天板(10)上には、一方向にバネ(70)付勢されたリング体(７)と、クランパ(８)が取り付けられる。リング体(７)は天板(10)上に設けられたローラ(11)(11)(11)が内周に接して、天板(10)に平行な面内の回動を案内される。クランパ(８)は、上下の僅かなガタ付きを許されて、ターンテーブル(21)との間でディスクを挟持し、天板(10)上の透孔(12)を通って下端部が天板(10)から下向きに突出する。
図３(a)、(b)は、図１のデッキユニット(２)の右側面図である。図３(a)に示すように、ディスク(60)はホルダ(20)が上昇した状態でターンテーブル(21)と、クランパ(８)に挟持されて、ターンテーブル(21)から脱落することなく回転できる。後記の如く、この状態でディスク(60)はターンテーブル(21)に押されてトレイ(４)から離れる。
ホルダ(20)が下降すると、図３(b)に示すように、クランパ(８)とターンテーブル(21)が離れ、ディスクを取り出すことができる。
【０００９】
図１及び図２に示すように、リング体(７)の内側には、ガイド部材(３)(３)(３)が設けられ、該ガイド部材(３)の上端部が、リング体(７)の切欠き(71)(71)(71)に嵌まる。天板(10)の裏面には、一端部から第１突起(91)を上向きに、他端部から第２突起(92)を下向きに突出した回動レバー(９)が枢支(90)されている。第１突起(91)は天板(10)に開設された窓孔(16)を通って、リング体(７)に開設された嵌め孔(72)に、第２突起(92)はトレイ(４)のガイド溝(40)に夫々嵌まる。回動レバー(９)は、図２に示すように、第１突起(91)が窓孔(16)の端縁に圧接した位置にて停止している。
図４は、図１のガイド部材(３)をＡ方向から見た断面図である。ガイド部材(３)は、側部から軸(30)(30)を突出して、天板(10)の凹面(13)に嵌まり、下端部が凹面(13)に開設された孔(14)を貫通する。ガイド部材(３)はリング体(７)に連動して軸(30)(30)を中心に回転する。ガイド部材(３)の下端部には、斜面(31)が形成され、後記の如く、該斜面(31)は小径ディスク(60)を案内する。
【００１０】
(切換機構の動作)
図５、図６は、トレイ(４)の平面図であり、開位置から閉位置に向かう際に、回動レバー(９)の第２突起(92)が移動する経路を、太い矢印Ｆにて示す。トレイ(４)に小径ディスク(60)が支持されていれば、前記の如く、ガイド溝(40)は小凹部(43)の外側に設けられているから、第２突起(92)は図５に示すように、小径ディスク(60)に接することなく、ガイド溝(40)を通る。トレイ(４)が閉位置に達すれば、第２突起(92)はトレイ(４)の後端部に達する。
これに対し、トレイ(４)に大径ディスク(６)が支持されていれば、ガイド溝(40)は大凹部(42)内に設けられているから、第２突起(92)は図６に示すように、ガイド溝(40)を通った後に、大径ディスク(６)の周縁部に接しながら移動する。第２突起(92)はトレイ(４)の側部にまで押されて、逃がし溝(41)に達し、該逃がし溝(41)に沿って、トレイ(４)の後端部に達する。
【００１１】
第２突起(92)は大径ディスク(６)の周縁部に沿って移動する、即ち、回動レバー(９)が枢支部(90)を中心に回転する。図７は、回動レバー(９)とリング体(７)の平面図である。回動レバー(９)が枢支部(90)を中心に反時計方向に回動するから、リング体(７)は第１突起(91)に押されて、バネ(70)付勢に抗して、ローラ(11)(11)(11)に沿って、反時計方向に回動する。
このとき、リング体(７)に嵌まったガイド部材(３)が回動する。図８(a)、(b)は、図１のガイド部材(３)をＢ方向から見た断面図である。小径ディスク(60)がトレイ(４)に支持された状態では、リング体(７)は図２に示す位置を保ち、ガイド部材(３)は図８(a)に示すように、天板(10)に対して直交した姿勢を保つ。
リング体(７)が反時計方向に回動すると、切欠き(71)がガイド部材(３)の上端部を押して、軸(30)を中心に天板(10)に伏する向きに回動させる。即ち、回動レバー(９)とリング体(７)とによって、ディスクの直径に応じてガイド部材(３)の回動と、回動規制を切り換える切換機構(５)を構成する。
【００１２】
図９(a)、(b)は、図１のキャビネット(１)をＣ−Ｃ線を含む面にて、破断した断面図であり、(a)は小径ディスク(60)を支持した場合、(b)は大径ディスク(６)を支持した場合を夫々示す。トレイ(４)は閉位置にある。
小径ディスクの記録又は再生時
前記の如く、ホルダ(20)がトレイ(４)に向かって接近する向きに移動し、図９(a)に示すように、ターンテーブル(21)がトレイ(４)上の小径ディスク(60)を押してトレイ(４)から離す。ガイド部材(３)は天板(10)に直交する姿勢にあり、一端部がトレイ(４)を向いている。
小径ディスク(60)がトレイ(４)から離れるが、ガイド部材(３)が天板(10)に直交する姿勢にあり、斜面(31)が小径ディスク(60)の下端部に接近している。小径ディスク(60)は下端部をガイド部材(３)に支持されて脱落を防止されながら、クランパ(８)に向かって押され、クランパ(８)とターンテーブル(21)に挟持される。図９(a)では、小径ディスク(60)の下端部がガイド部材(３)から離れているが、これはクランパ(８)とターンテーブル(21)にて、小径ディスク(60)をチャッキングする際に、小径ディスク(60)がターンテーブル(21)の先端に設けられた斜面(図３(a)参照)により僅かに持ち上げられるからである。
ホルダ(20)がトレイ(４)から離れる向きに移動し、ターンテーブル(21)がクランパ(８)から離れると、小径ディスク(60)はガイド部材(３)の斜面(31)に沿ってトレイ(４)に向かって移動し、トレイ(４)上の二点鎖線(図９(a)参照)で示す位置にまで収納される。
【００１３】
大径ディスクの記録又は再生時
図９(b)に示すように、ターンテーブル(21)がトレイ(４)上の大径ディスク(６)を二点鎖線で示す位置から押してトレイ(４)から離す。ガイド部材(３)が小径ディスク(60)の移動を案内する姿勢のままでは、大径ディスク(６)のクランパ(８)に向かう移動が邪魔されるが、前記の如く、リング体(７)に連動してガイド部材(３)が天板(10)に伏する姿勢となることにより、図９(b)に示すように、大径ディスク(６)にクランパ(８)に向かう移動を邪魔しない。
尚、キャビネット(１)には大径ディスク(６)の下端部に接近して、案内斜面(15)が設けられている。ターンテーブル(21)がクランパ(８)から離れると、大径ディスク(６)は案内斜面(15)に沿ってトレイ(４)に向かって移動し、トレイ(４)内に収納される。
【００１４】
上記の構成により、両ディスク(６)(60)は、トレイ(４)に選択的に載置されて支持される。クランパ(８)とターンテーブル(21)が合わさるまでは、小径ディスク(60)はガイド部材(３)に受けられて脱落を防止される。該ガイド部材(３)は大径ディスク(６)を記録又は再生する際には、大径ディスク(６)のクランパ(８)に向かう移動を邪魔しない。これにより、トレイ(４)の構成が簡単となり、且つ両ディスク(６)(60)をスムーズに再生できる。
尚、トレイ(４)に何れのディスク(６)(60)も設けられていない状態で、トレイ(４)を閉位置に移動させると、切換機構(５)の動作は小径ディスク(60)をトレイ(４)に設けたときと同じ動作になる。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に係わるディスク記録又は再生装置の分解斜視図である。
【図２】開位置に於けるディスク記録又は再生装置の平面図である。
【図３】(a)、(b)は、デッキユニットの右側面図である。
【図４】図１のガイド部材をＡ方向から見た断面図である。
【図５】トレイの平面図であり、小径ディスクが載置された状態を示す。
【図６】トレイの平面図であり、大径ディスクが載置された状態を示す。
【図７】回動レバーとリング体の平面図である。
【図８】(a)、(b)は、図１のガイド部材をＢ方向から見た断面図である。
【図９】(a)、(b)は、図１のキャビネットをＣ−Ｃ線を含む面にて、破断した断面図であり、(a)は小径ディスクを支持した場合、(b)は大径ディスクを支持した場合を夫々示す。
【図１０】従来のディスク記録又は再生装置の斜視図である。
【図１１】(a)、(b)は別の従来のディスク記録又は再生装置の断面図である。
【図１２】図１０に示す閉位置にある従来のトレイを、Ｄ−Ｄ線を含む面にて破断した断面図である。
【符号の説明】
(１)  キャビネット
(３)  ガイド部材
(４)  トレイ
(５)  切換機構
(６)  大径ディスク
(７)  リング体
(８)  クランパ
(９)  回動レバー
(21)  ターンテーブル
(40)  ガイド溝
(42)  大凹部
(43)  小凹部
(60)  小径ディスク
【図１】
0004004238.tif 000002
【図２】
0004004238.tif 000003
【図３】
0004004238.tif 000004
【図４】
0004004238.tif 000005
【図５】
0004004238.tif 000006
【図６】
0004004238.tif 000007
【図７】
0004004238.tif 000008
【図８】
0004004238.tif 000009
【図９】
0004004238.tif 000010
【図１０】
0004004238.tif 000011
【図１１】
0004004238.tif 000012
【図１２】
0004004238.tif 000013